(57)【特許請求の範囲】
【請求項１】
複数の空調機の動作制御および電力量の情報を収集する、空気調和システムの集中管理装置であって、
前記複数の空調機のうちの一部がそれぞれ配線接続され、該配線接続された前記空調機の電力量をそれぞれ計測する複数の計量計から、電力量の情報をそれぞれ収集するデータ収集部と、
前記計量計毎に、配線接続される前記空調機を対応付けた接続情報が記憶される記憶部と、
前記電力量の情報および前記接続情報に基づき、前記計量計と前記空調機との間の配線接続の誤接続を検出する誤接続検出部と、
前記複数の空調機の動作制御を行う制御部と、
を備え、
前記誤接続検出部は、
前記複数の空調機の全てが停止状態において、前記複数の計量計のそれぞれで計測された所定時間における電力量を、各計量計に配線接続された前記空調機の待機時電力量とし、
前記複数の空調機の全てが運転状態において、前記複数の計量計のそれぞれで計測された所定時間における電力量を、各計量計に配線接続された前記空調機の運転時電力量とし、
前記制御部は、
前記接続情報に基づき、前記各計量計に対応付けられた前記空調機の動作状態を、計量計毎に順次、停止状態と運転状態とに切り替えて、前記計量計に対応づけられた前記空調機を単位として、停止状態にある前記空調機と、運転状態にある前記空調機とが混在する状態とし、
前記誤接続検出部は、
前記混在する状態での前記各計量計で計測された所定時間における電力量と、前記待機時電力量及び前記運転時電力量とを、前記制御部が設定した前記空調機の動作状態に応じて比較して、前記計量計と前記空調機との間の配線接続の誤接続を検出する
ことを特徴とする空気調和システムの集中管理装置。
【請求項２】
前記制御部は、
前記誤接続検出部が、複数の前記空調機が対応付けられた前記計量計の誤接続を検出した場合、当該計量計に対応付けられた複数の前記空調機の動作状態を、順次、停止状態と運転状態とに切り替え、
前記誤接続検出部は、
誤接続を検出した前記計量計で計測された所定時間における電力量と、前記制御部が設定した前記空調機の動作状態とに基づき、当該計量計に対応付けられた複数の前記空調機のうち、誤接続された空調機を検出する
ことを特徴とする請求項１記載の空気調和システムの集中管理装置。
【発明の詳細な説明】
【技術分野】
【０００１】
この発明は、複数の空調機の動作制御および電力量の情報を収集する、空気調和システムの集中管理装置に関するものである。
【背景技術】
【０００２】
従来の空気調和システムにおいては、室外機と空調端末との配管の接続状態等を検査する試運転を自動化するものとして、試運転モードで運転しているときに、冷房と暖房の自動切換えを行い、試運転を簡便に行うものが提案されている（例えば、特許文献１参照）。
【先行技術文献】
【特許文献】
【０００３】
【特許文献１】特開平１０−２４６４９２号公報（第５―７頁、第１図）
【発明の概要】
【発明が解決しようとする課題】
【０００４】
複数の空調機（室内機及び室外機）で構成される空気調和システムにおいては、集中管理装置と複数の空調機との間を伝送線などの通信回線で接続し、複数の空調機を監視・制御している。さらに、１つ又は複数の空調機ごとに消費される電力量を計測する計量計を設置し、この計量計の計測値を集中管理装置により一括収集して、省エネルギー制御や電気料金の課金支援等に用いている。
【０００５】
一般に、このような計量計と空調機との間の配線接続は、集中管理装置と複数の空調機との間の通信回線や、集中管理装置と計測計との間の通信回線とは別の配線（センサ配線）で接続されている。そのため、計量計と空調機との間の配線接続が、所望の接続となっていることを確認するには、人が目視により配線の接続状態の確認を行うか、試運転により空調機を運転させ、人が目視により動作状態と計量計の計測値とを比較することで確認を行っていた。このような、人が目視で行う接続確認では、人為的ミスによる確認誤りの発生や、確認者の作業負担がかかる、という問題点があった。
【０００６】
上記特許文献１に記載の技術では、自動化された試運転として冷媒配管の接続状態を検査して、空調機の動作が正しく行えることを確認するものではあるが、空調機と計量計との間の接続確認を自動化することができない、という問題点があった。
【０００７】
この発明は、上記のような課題を解決するためになされたもので、空調機と計量計との接続確認を自動化することができる空気調和システムの集中管理装置を得るものである。
【課題を解決するための手段】
【０００８】
この発明に係る空気調和システムの集中管理装置は、複数の空調機の動作制御および電力量の情報を収集する、空気調和システムの集中管理装置であって、前記複数の空調機のうちの一部がそれぞれ配線接続され、該配線接続された前記空調機の電力量をそれぞれ計測する複数の計量計から、電力量の情報をそれぞれ収集するデータ収集部と、前記計量計毎に、配線接続される前記空調機を対応付けた接続情報が記憶される記憶部と、前記電力量の情報および前記接続情報に基づき、前記計量計と前記空調機との間の配線接続の誤接続を検出する誤接続検出部と、前記複数の空調機の動作制御を行う制御部と、を備え、前記誤接続検出部は、前記複数の空調機の全てが停止状態において、前記複数の計量計のそれぞれで計測された所定時間における電力量を、各計量計に配線接続された前記空調機の待機時電力量とし、前記複数の空調機の全てが運転状態において、前記複数の計量計のそれぞれで計測された所定時間における電力量を、各計量計に配線接続された前記空調機の運転時電力量とし、前記制御部は、前記接続情報に基づき、前記各計量計に対応付けられた前記空調機の動作状態を、計量計毎に順次、停止状態と運転状態とに切り替えて、前記計量計に対応づけられた前記空調機を単位として、停止状態にある前記空調機と、運転状態にある前記空調機とが混在する状態とし、前記誤接続検出部は、前記混在する状態での前記各計量計で計測された所定時間における電力量と、前記待機時電力量及び前記運転時電力量とを、前記制御部が設定した前記空調機の動作状態に応じて比較して、前記計量計と前記空調機との間の配線接続の誤接続を検出するものである。
【発明の効果】
【０００９】
この発明は、計量計で計測された電力量と、待機時電力量又は運転時電力量とを、空調機の動作状態に応じて比較することで、計量計と空調機との間の配線接続の誤接続を検出するので、空調機と計量計との接続確認を自動化することができる。
【図面の簡単な説明】
【００１０】
【図１】実施の形態１における空気調和システムの構成と通信配線を示す図である。
【図２】実施の形態１における空調機と計量計との間の配線接続を示す図である。
【図３】実施の形態１における集中管理装置の構成を示す図である。
【図４】実施の形態１における待機電力量の計測アルゴリズムを示すフローチャートである。
【図５】待機電力量の計測アルゴリズムにおける収集情報の一例を示す図である。
【図６】実施の形態１における運転電力量の計測アルゴリズムを示すフローチャートである。
【図７】運転電力量の計測アルゴリズムにおける収集情報の一例を示す図である。
【図８】実施の形態１における接続誤り検出アルゴリズムを示すフローチャートである。
【図９】実施の形態１における接続情報のデータ構成を示す図である。
【図１０】接続誤り検出アルゴリズムにおける接続正常時での一時データの一例を示す図である。
【図１１】接続誤り検出アルゴリズムにおける接続異常時での一時データの一例を示す図である。
【発明を実施するための形態】
【００１１】
実施の形態１．
図１は、実施の形態１における空気調和システムの構成と通信配線を示す図である。
図１において、空気調和システムは、集中管理装置１００と、１つ又は複数の室外機２００と、１つ又は複数の室内機３００と、複数の計量計４００とを備えている。
１つの室外機２００に対しては、１つ又は複数の室内機３００が冷媒配管（図示せず）により接続されており、冷媒配管内を流れる冷媒の吸熱、放熱により空気調和を行う。
また、室外機２００、室内機３００、及び計量計４００は、それぞれ伝送線等の通信回線で接続されている。これにより、集中管理装置１００は、室外機２００、室内機３００、及び計量計４００にそれぞれ設定されたアドレス等の識別情報を用いて、各機器のすべてと個別に情報の送受信が可能である。
なお、以下の説明において、室外機２００と室内機３００とを区別しないときは、「空調機」という。
なお、本実施の形態においては、空調機として室外機２００及び室内機３００を設ける場合を説明するが、本発明はこれに限らず、冷媒配管に接続されない換気設備などの任意の設備機器でもよい。
【００１２】
図２は、実施の形態１における空調機と計量計との間の配線接続を示す図である。
なお、図２において、各構成の［  ］内の数値は、集中管理装置１００との間の通信に用いるアドレス（識別情報）を示している。
図２に示すように、１つの計量計４００には、１つ又は複数の室外機２００が接続されている。また、１つの計量計４００には、１つ又は複数の室内機３００が接続されている。なお、１つの空調機に対して複数の計量計４００は接続しないものとする。
計量計４００と空調機（室外機２００、室内機３００）との間の配線接続は、冷媒配管の接続関係や通信回線の接続関係とは無関係に接続されている。例えば、ビル等の建物に室内機３００が設置される場合、同一フロアに配置された室内機３００ごとに計量計４００が接続される。
なお、ここでは、１つの計量計４００で、室内機３００と室外機２００両方の電力を計測しない接続とする。一般に、同一冷媒系に接続された室外機２００と室内機３００は個別に運転されないため、計量計４００の計測値を電気料金の課金に用いる場合、電力量の課金分配が困難となるためである。
【００１３】
計量計４００は、計測対象の空調機が消費した電力量（Ｗｈ）を積算するいわゆる電力メーターにより構成され、計測した電力量の積算値の情報（カウント値）を、集中管理装置１００へ送信する。
【００１４】
図３は、実施の形態１における集中管理装置の構成を示す図である。
図３において、集中管理装置１００は、室外機２００や室内機３００などの空調機とデータの送受信を行うデータ送受信部１１０と、データ送受信部１１０を用いて空調機の運転状態や計量計４００の計量値の情報を収集する設備機器データ収集部１２０と、データ送受信部１１０を用いて少なくとも空調機の運転／停止制御が可能な設備機器制御部１３０と、室外機２００及び室内機３００の冷媒系接続状態を記憶する設備機器接続情報記憶部１４０と、各計量計４００ごとに接続された空調機を対応付けた接続状態を記憶する計量計接続情報記憶部１５０と、各室外機２００と各室内機３００が運転中かどうかを記録する運転データ情報記憶部１６０と、各計量計４００の一定時間あたりの計量値を記録する計量データ情報記憶部１７０と、試運転結果を記録する試運転結果記憶部１８０と、計量計４００の接続確認のための試運転を行なう試運転部１９０を備えている。
【００１５】
設備機器制御部１３０は、任意の空調機を自由に運転または停止させることができる。また、設備機器制御部１３０は、手元リモコン（図示せず）から運転や停止を受け付けさせない手元操作禁止モードを任意の空調機に対して送信が可能である。さらに、設備機器制御部１３０は、任意の空調機の運転モードを試運転モードに切り替えることが可能である。
【００１６】
ここで、空調機の試運転モードとは、一定の運転能力で動作するモードである。例えば、現在の室内温度と設定温度との関係で冷房や暖房の運転能力が過大または過少となるような環境状態でも、試運転モードにすることにより、一定の運転能力で電力を消費することが可能となる。
【００１７】
なお、設備機器接続情報記憶部１４０、計量計接続情報記憶部１５０、運転データ情報記憶部１６０、計量データ情報記憶部１７０、試運転結果記憶部１８０は、ＨＤＤ（Ｈａｒｄ  Ｄｉｓｋ  Ｄｒｉｖｅ）やフラッシュメモリにより構成することができる。
また、設備機器データ収集部１２０、設備機器制御部１３０、試運転部１９０は、これらの機能を実現する回路デバイスなどのハードウェアで実現することもできるし、マイコンやＣＰＵなどの演算装置上で実行されるソフトウェアとして実現することもできる。
データ送受信部１１０は、ＬＡＮインターフェースなどのネットワークインタフェースにより構成することができる。
【００１８】
なお、設備機器データ収集部１２０は、本発明における「データ収集部」に相当する。
また、設備機器接続情報記憶部１４０は、本発明における「記憶部」に相当する。
また、試運転部１９０は、本発明における「誤接続検出部」に相当する。
また、設備機器制御部１３０は、本発明における「制御部」に相当する。
【００１９】
次に、本実施の形態における動作を、待機電力量の計測アルゴリズム、運転電力量の計測アルゴリズム、接続誤り検出アルゴリズムの３つに分けて説明する。
【００２０】
（待機電力量の計測アルゴリズム）
図４は、実施の形態１における待機電力量の計測アルゴリズムを示すフローチャートである。
図５は、待機電力量の計測アルゴリズムにおける収集情報の一例を示す図である。
以下、待機電力量の計測アルゴリズムを、図４の各ステップに基づき、図５を参照しつつ説明する。
【００２１】
（Ｓ１０１）
設備機器制御部１３０は、計量計４００に接続された、全ての室外機２００および全ての室内機３００の動作を停止させる。このとき、設備機器制御部１３０は全ての室外機２００と全ての室内機３００に対して操作禁止モードを送信し、意図しない運転をさせなくする。
【００２２】
なお、室外機２００に対して運転／停止などの制御をかけられない機種の場合は、設備機器接続情報記憶部１４０の情報を用いて室外機２００に冷媒系接続された全ての室内機３００を停止させることにより、室外機２００を停止させてもよい。同様に、室外機２００に対して運転／停止などの制御をかけられない機種の場合は、操作禁止モードは室内機３００のみに対して送信してもよい。
【００２３】
（Ｓ１０２）
計量計４００に接続された、全ての室外機２００および全ての室内機３００が停止した直後に、設備機器データ収集部１２０は、各計量計４００のそれぞれで計測された電力量の積算値（カウント値）の情報を収集し、計量データ情報記憶部１７０に一時データとして書き込む。
例えば、図５に示すように、各計量計４００のアドレスに対応して、Ｓ１０２で収集した電力量の積算値を、初期電力量として計量データ情報記憶部１７０に書き込む。
【００２４】
（Ｓ１０３）
次に、室外機２００および室内機３００が停止した状態で、一定時間経過させ、停止時における待機電力を消費させる。各計量計４００は、配線接続された空調機の待機電力に応じた電力量を計測して積算する。室外機２００の待機電力としては、例えばクランクケースヒータでの消費電力や通信基盤での消費電力などがある。また、室内機３００の待機電力としては通信基盤での消費電力などがある。
ここで、経過させる一定時間としては、計量計４００の最小カウント値がカウントアップするのに必要と想定される時間よりも長い時間であれば、任意の時間でよい。
なお、以下の説明において、「一定時間」を経過させる動作における時間は、ここでの一定時間と同じ時間とする。
【００２５】
（Ｓ１０４）
設備機器データ収集部１２０は、一定時間経過後に、各計量計４００のそれぞれで計測された電力量の積算値（カウント値）の情報を収集し、計量データ情報記憶部１７０に一時データとして書き込む。
例えば、図５に示すように、各計量計４００のアドレスに対応して、Ｓ１０４で収集した電力量の積算値を、一定時間経過後の電力量として計量データ情報記憶部１７０に書き込む。
【００２６】
（Ｓ１０５）
試運転部１９０は、Ｓ１０４で収集した一定時間経過後の電力量から、Ｓ１０２で収集した初期電力量を減算し、計量計４００毎の一定時間における電力量を、待機時電力量として求め、計量データ情報記憶部１７０に書き込む。
例えば、図５に示すように、各計量計４００のアドレスに対応して、演算結果を待機時電力量として計量データ情報記憶部１７０に書き込む。
【００２７】
（運転電力量の計測アルゴリズム）
図６は、実施の形態１における運転電力量の計測アルゴリズムを示すフローチャートである。
図７は、運転電力量の計測アルゴリズムにおける収集情報の一例を示す図である。
以下、運転電力量の計測アルゴリズムを、図６の各ステップに基づき、図７を参照しつつ説明する。
【００２８】
（Ｓ２０１）
設備機器制御部１３０は、計量計４００に接続された、全ての室外機２００および全ての室内機３００の動作を停止させる。このとき、設備機器制御部１３０は全ての室外機２００と全ての室内機３００に対して操作禁止モードを送信し、意図しない運転をさせなくする。
ただし、上記待機電力量の計測アルゴリズムの直後など、既に全ての室外機２００と全ての室内機３００が停止している状態であれば、Ｓ２０１は実行しなくてもよい。
【００２９】
（Ｓ２０２）
設備機器データ収集部１２０は、各計量計４００のそれぞれで計測された電力量の積算値（カウント値）の情報を収集し、計量データ情報記憶部１７０に一時データとして書き込む。
例えば、図７に示すように、各計量計４００のアドレスに対応して、Ｓ２０２で収集した電力量の積算値を、初期電力量として計量データ情報記憶部１７０に書き込む。
【００３０】
（Ｓ２０３）
設備機器制御部１３０は、計量計４００に接続された、全ての室外機２００および全ての室内機３００を運転させる。このとき、設備機器制御部１３０は全ての室外機２００と全ての室内機３００に対して操作禁止モードを送信し、意図しない運転をさせなくする。設備機器制御部１３０は全ての室外機２００と全ての室内機３００の運転モードを試運転モードに変更する。
【００３１】
（Ｓ２０４）
次に、室外機２００および室内機３００が運転した状態で、一定時間経過させ、運転時の電力を消費させる。各計量計４００は、配線接続された空調機の運転時の電力に応じた電力量を計測して積算する。
なお、経過させる一定時間は、上述した待機電力量の計測アルゴリズムの一定時間と同じ時間である。
【００３２】
（Ｓ２０５）
設備機器データ収集部１２０は、一定時間経過後に、各計量計４００のそれぞれで計測された電力量の積算値（カウント値）の情報を収集し、計量データ情報記憶部１７０に一時データとして書き込む。
例えば、図７に示すように、各計量計４００のアドレスに対応して、Ｓ２０４で収集した電力量の積算値を、一定時間経過後の電力量として計量データ情報記憶部１７０に書き込む。
【００３３】
（Ｓ２０６）
試運転部１９０は、Ｓ２０５で収集した一定時間経過後の電力量から、Ｓ２０２で収集した初期電力量を減算し、計量計４００毎の一定時間における電力量を、運転時電力量として求め、計量データ情報記憶部１７０に書き込む。
例えば、図７に示すように、各計量計４００のアドレスに対応して、演算結果を運転時電力量として計量データ情報記憶部１７０に書き込む。
【００３４】
（接続誤り検出アルゴリズム）
図８は、実施の形態１における接続誤り検出アルゴリズムを示すフローチャートである。
図９は、実施の形態１における接続情報のデータ構成を示す図である。
図１０は、接続誤り検出アルゴリズムにおける接続正常時での一時データの一例を示す図である。
図１１は、接続誤り検出アルゴリズムにおける接続異常時での一時データの一例を示す図である。
以下、接続誤り検出アルゴリズムを、図８の各ステップに基づき、図９〜図１１を参照しつつ説明する。
【００３５】
なお、以下の説明において、室外機２００に接続された計量計４００を「室外機用計量計」と称し、室内機３００に接続された計量計４００を「室内機用計量計」と称する。
【００３６】
（Ｓ３０１、Ｓ３０２）
Ｓ３０１は、上述した待機時電力量の計測アルゴリズムに相当する。
Ｓ３０２は、上述した運転時電力量の計測アルゴリズムに相当する。
【００３７】
（Ｓ３０３）
設備機器制御部１３０は、計量計４００に接続された、全ての室外機２００の動作を停止させる。このとき、設備機器制御部１３０は全ての室外機２００に対して操作禁止モードを送信し、意図しない運転をさせなくする。
【００３８】
（Ｓ３０４）
設備機器データ収集部１２０は、複数の計量計４００のうち、室外機用計量計で計測された電力量の積算値（カウント値）の情報を収集し、計量データ情報記憶部１７０に一時データとして書き込む。
例えば、図１０、図１１に示すように、室外機用計量計であるアドレス［１］と［３］の計量計４００に対応して、Ｓ３０４で収集した電力量の積算値を、初期電力量として計量データ情報記憶部１７０に書き込む。
【００３９】
ここで、予め設備機器接続情報記憶部１４０に記憶される接続情報は、各計量計４００のアドレスに対し、配線接続された１つ又は複数の空調機のアドレスが対応付けられている。例えば図２に示す計量計４００と空調機との配線接続の場合には、図９に示すように、接続機のアドレスが設定されている。
設備機器データ収集部１２０は、上記接続情報を参照することで、室外機用計量計、または室内機用計量計の区別を行う。
【００４０】
なお、接続情報は、集中管理装置１００に設けた入力装置（図示せず）を用いて設定しても良いし、外部記憶媒体に格納した接続情報を、集中管理装置１００へ伝送するようにしても良い。
【００４１】
（Ｓ３０５）
設備機器制御部１３０は、計量計接続情報記憶部１５０に格納された接続情報に基づき、任意の室外機用計量計に対応付けられた室外機２００以外の全ての室外機２００を運転させる。
例えば、アドレス［１］の計量計４００を、任意の室外機用計量計として選択した場合、当該アドレス［１］に対応する室外機２００（アドレス［Ａ１］）以外の室外機２００、即ちアドレス［Ａ２］、［Ａ３］の室外機２００を運転させる。
【００４２】
（Ｓ３０６）
一定時間経過させ、停止状態の室外機２００については待機電力を消費させ、運転状態の室外機２００については運転による電力を消費させる。各室外機用計量計は、配線接続された空調機で消費された電力量を計測して積算する。
なお、経過させる一定時間は、上述した待機電力量の計測アルゴリズムおよび運転電力量の計測アルゴリズムの一定時間と同じ時間である。
【００４３】
（Ｓ３０７）
設備機器データ収集部１２０は、一定時間経過後に、各室外機用計量計のそれぞれで計測された電力量の積算値（カウント値）の情報を収集し、計量データ情報記憶部１７０に一時データとして書き込む。
例えば、図１０、図１１に示すように、室外機用計量計のアドレス［１］、［３］に対応して、Ｓ３０７で収集した電力量の積算値を、一定時間経過後の電力量として計量データ情報記憶部１７０に書き込む。
【００４４】
（Ｓ３０８）
試運転部１９０は、Ｓ３０７で収集した一定時間経過後の電力量から、Ｓ３０４で収集した初期電力量を減算し、室外機用計量計毎の一定時間における電力量を、差分電力量として求め、計量データ情報記憶部１７０に書き込む。
例えば、図１０、図１１に示すように、室外機用計量計のアドレス［１］、［３］に対応して、演算結果を差分電力量として計量データ情報記憶部１７０に書き込む。
【００４５】
（Ｓ３０９）
試運転部１９０は、Ｓ３０５で選択した任意の室外機用計量計について、Ｓ３０８で算出した差分電力量と、Ｓ３０１で求めた待機時電力量とを比較する。
差分電力量と待機時電力量とがほぼ一致する場合には、当該任意の室外機用計量計と空調機との配線接続に誤りがないと判断し、Ｓ３１０に進む。
例えば、図１０に示す例では、アドレス［１］の差分電力量と、待機時電力量（図５参照）とが一致するため、配線接続に誤りがないと判断する。
【００４６】
一方、差分電力量と待機時電力量とが一致しない場合には、当該任意の室外機用計量計と空調機との配線接続に誤りがあると判断し、Ｓ３１１に進む。
例えば、図２に示すアドレス［１］の計量計４００に、アドレス［Ａ１］と［Ａ２］の室外機２００が接続されている場合、停止状態であるアドレス［Ａ１］の室外機２００による待機電力と、運転状態であるアドレス［Ａ２］の室外機２００による運転電力とを計測することになる。この場合、図１１に示す例のように、アドレス［１］の差分電力量と、待機時電力量（図５参照）とが一致しないため、配線接続に誤りがあると判断する。
【００４７】
（Ｓ３１０）
上記Ｓ３０９で、配線接続に誤りがないと判断したため、試運転部１９０は、Ｓ３０５で選択した任意の室外機用計量計について、配線接続に誤りがなかった旨の情報を、試運転結果記憶部１８０に書き込み、確認処理を終了する。例えば、当該計量計４００のアドレスに対応して、「接続正常」等の情報が設定される。なお、試験結果の情報はこれに限らず、例えば「０」または「１」等のフラグでもよい。
【００４８】
（Ｓ３１１）
上記Ｓ３０９で、配線接続に誤りがあると判断したため、試運転部１９０は、配線接続が誤っている室外機用計量計をさらに調査する。
具体的には、Ｓ３０５で選択した任意の室外機用計量計以外の室外機用計量計について、Ｓ３０８で算出した差分電力量と、Ｓ３０２で求めた運転時電力量とを比較する。
差分電力量と運転時電力量とがほぼ一致する場合には、当該室外機用計量計と空調機との配線接続に誤りがないと判断し、Ｓ３１３に進む。
【００４９】
一方、差分電力量と運転時電力量とが一致しない場合には、当該室外機用計量計と空調機との配線接続に誤りがあると判断し、Ｓ３１２に進む。
例えば、図２に示すアドレス［１］の計量計４００に、アドレス［Ａ１］と［Ａ２］の室外機２００が接続され、アドレス［３］の計量計４００にはアドレス［Ａ３］の室外機２００のみが接続されている場合、アドレス［３］の計量計４００は、運転状態であるアドレス［Ａ３］の室外機２００による運転電力のみを計測することになる。この場合、図１１に示す例のように、アドレス［３］の差分電力量と、運転時電力量（図７参照）とが一致しないため、アドレス［３］の計量計４００の配線接続に誤りがあると判断する。
【００５０】
（Ｓ３１２）
上記Ｓ３０９及びＳ３１１で、配線接続に誤りがあると判断したため、試運転部１９０は、Ｓ３０９で比較した任意の室外機用計量計と、Ｓ３１１で比較した室外機用計量計について、配線接続に誤りが有る旨の情報を、試運転結果記憶部１８０に書き込み、確認を終了する。例えば、当該計量計４００の各アドレスに対応して、「接続異常」等の情報が設定される。なお、試験結果の情報はこれに限らず、例えば「０」または「１」等のフラグでもよい。
【００５１】
（Ｓ３１３）
試運転部１９０は、複数の室外機用計量計のうち、上記Ｓ３１１による運転時電力量の比較していない室外機用計量計があるか否かを判断し、未調査の室外機用計量計がある場合にはＳ３１１に戻り、上述した動作を繰り返す。一方、全ての室外機用計量計について調査が完了した場合には、確認処理を終了する。
【００５２】
このような接続誤り検出アルゴリズムにより、Ｓ３０５で選択する任意の室外機用計量計を順次選択して、全ての室外機用計量計について繰り返し行うことで、配線接続に誤りがある室外機用計量計をすべて確認することができる。
【００５３】
上記の説明では、計量計４００と室外機２００との間の配線接続を確認する場合を説明したが、計量計４００と室内機３００との間の配線接続も、同様の手順により確認することができる。即ち、上記接続誤り検出アルゴリズムにおける室外機用計量計を室内機用計量計に置き換えることで、同様に、配線接続に誤りがある室内機用計量計をすべて確認することができる。
【００５４】
なお、本実施の形態では、計量計４００と室外機２００との間の接続誤り検出処理と、計量計４００と室内機３００との間の接続誤り検出処理とを分けて説明したが、本発明はこれに限るものではない。各室外機２００と各室内機３００とが個別に運転可能であれば、室外機用計量計と室内機用計量計とを同一の接続誤り検出処理としても良い。
また、例えば換気設備など、室外機２００及び室内機３００以外の空調機を設ける場合においても、上述した技術思想により、空調機と計量計４００との間の配線接続の誤りを検知することができる。
【００５５】
以上のように本実施の形態においては、接続情報に基づき、各計量計４００に対応付けられた１つ又は複数の空調機の動作を、各計量計４００ごとに順次、停止状態と運転状態とに切り替え、計量計４００で計測された所定時間（一定時間）における電力量（差分電力量）と、待機時電力量又は運転時電力量とを、設備機器制御部１３０が設定した空調機の動作状態に応じて比較して、計量計４００と空調機との間の配線接続の誤接続を検出する。
このため、計量計４００と空調機との間の配線接続の誤接続を自動的に検出することができる。よって、試運転での人為的確認ミスによる確認誤りを防止することができる。また、夜間などの人がいない時間に自動的に接続確認を行うことができ、確認者の作業負担を軽減できる。また、具体的な電力量の数値での確認が可能となり、確認者の作業負担を軽減できる。
【００５６】
さらに、空調機の動作状態に応じて、計量計４００で計測された電力量（差分電力量）と、待機時電力量又は運転時電力量とを比較して、誤接続を検出するので、待機電力の大きい空調機の待機時電力量と、運転電力の小さい空調機の運転時電力量との電力量の差が少ない場合であっても、誤接続を精度よく検出することができる。
仮に、各空調機を順次運転させて、そのときに計測された電力量により、運転している空調機と計量計とを対応付ける処理の場合には、上記のように待機電力の大きい空調機と運転電力の小さい空調機とが混在すると、対応付けの判断ができず、誤接続を検出することができない。
【００５７】
なお、上記の説明では、配線接続に誤りがある計量計４００を検出する動作について説明したが、複数の空調機が対応付けられた計量計４００の誤接続を検出した場合、当該複数の空調機のうち、誤接続された空調機を検出するようにしても良い。
具体的には、試運転部１９０が、複数の空調機が対応付けられた計量計４００の誤接続を検出した場合、設備機器制御部１３０は、当該計量計４００に対応付けられた複数の空調機のうち、任意の空調機を運転させ、他の空調機を停止させる。
そして、試運転部１９０は、誤接続を検出した計量計４００で計測された一定時間における電力量（差分電力量）が、待機時電力量より大きければ、当該任意の空調機の配線接続に誤りがないと判断する。一方、電力量（差分電力量）が、待機時電力量とほぼ一致する場合には、当該任意の空調機の配線接続に誤りがあると判断する。このような処理を、誤接続が検出された計量計４００に対応付けられた全ての空調機に対して、順次行うことで、当該複数の空調機のうち、誤接続された空調機を検出することができる。
【００５８】
なお、本実施の形態においては、冷媒配管で接続された室外機２００及び室内機３００とを備えた空気調和システムについて説明したが、これに限らず、例えば冷水又は温水を循環させる給湯式空調機に適用しても良い。この場合には、計量計４００の計測対象を水道から供給された水量とすることもできる。この場合においても、上述した技術思想により、計量計４００と給湯式空調機との間の配線接続の誤接続を検出することができる。
【符号の説明】
【００５９】
１００  集中管理装置、１１０  データ送受信部、１２０  設備機器データ収集部、１３０  設備機器制御部、１４０  設備機器接続情報記憶部、１５０  計量計接続情報記憶部、１６０  運転データ情報記憶部、１７０  計量データ情報記憶部、１８０  試運転結果記憶部、１９０  試運転部、２００  室外機、３００  室内機、４００  計量計。
【図１】
0005846892.tif 000002
【図２】
0005846892.tif 000003
【図３】
0005846892.tif 000004
【図４】
0005846892.tif 000005
【図５】
0005846892.tif 000006
【図６】
0005846892.tif 000007
【図７】
0005846892.tif 000008
【図８】
0005846892.tif 000009
【図９】
0005846892.tif 000010
【図１０】
0005846892.tif 000011
【図１１】
0005846892.tif 000012